(57)【要約】
　【課題】　水、砂等の異物の侵入を防止しつつ靴内部の喚気を可能とする靴底を提供する。
　【解決手段】　ミッドソール２０とアウトソール１１を積層して成る靴底１０において、一端がミッドソール２０の上面に開口し、他端がミッドソール２０の側部に開口する複数の通気孔３０を設ける。ミッドソール２０は、左右方向に沿う横溝２２が底に形成された凹部２１を有するミッドソール本体と、該凹部２１にはめ込む、垂直孔２４を有するはめ込み部材２３とから形成し、これら凹部２１の横溝２２とはめ込み部材２３の垂直孔２４が前記通気孔３０となる。
【選択図】　図１
0003100359.tif 000002
【実用新案登録請求の範囲】
【請求項１】
ミッドソールとアウトソールを積層して成る靴底において、一端がミッドソールの上面に開口し、他端がミッドソールの側部に開口する複数の通気孔を当該ミッドソールに設けたことを特徴とする靴底。
【請求項２】
前記ミッドソールは、左右方向に沿う横溝が底に形成された凹部を有するミッドソール本体と、該凹部にはめ込む、垂直孔を有するはめ込み部材とから成り、これらミッドソール本体の横溝とはめ込み部材の垂直孔が前記通気孔を成す請求項１記載の靴底。
【請求項３】
一の前記横溝に対し複数の垂直孔が対応する請求項２記載の靴底。
【請求項４】
前記凹部とはめ込み部材の組を複数組有する請求項２又は３記載の靴底。
【請求項５】
前記ミッドソール本体が前方の凹部と後方の凹部を有し、前方の凹部の横溝と後方の凹部の横溝とを連通する前後方向に沿う縦溝をミッドソール本体に設けた請求項４記載の靴底。
【請求項６】
前記前方の凹部は足前部に対応する位置に、後方の凹部は踵に対応する位置に設けられる請求項５記載の靴底。
【考案の詳細な説明】
【技術分野】
【０００１】
　本考案は靴底に関し、特に運動靴のミッドソールに通気性を付与した靴底構造に関するものである。
【背景技術】
【０００２】
　靴内部は、足から放出される熱や汗によって高温多湿な状態になり、これが、足蒸れ、まめ、悪臭などの弊害を引き起こす原因となっている。このような靴内部の高温多湿状態を改善するため、ミッドソールからアウトソール（本底）を貫通する通気孔を設けて喚気を促すようにした靴底構造が知られている。
【考案の開示】
【考案が解決しようとする課題】
【０００３】
　しかしながら、上記のような従来構造では、通気孔が地面に接するアウトソール底面に開口するため、地表上の水、砂等の異物が通気孔から内部へと侵入し易いという問題があった。また、これを防ぐため、通気孔開口部に透質防水フィルム等を設けると、喚気能力が著しく低下してしまう。
【０００４】
　本考案は、以上の点に鑑みてなされたもので、水、砂等の異物の侵入を防止しつつ靴内部の喚気を可能とする靴底を提供することを目的とする。
【課題を解決するための手段】
【０００５】
　本考案によれば、上記課題を解決するため、ミッドソールとアウトソールを積層して成る靴底において、一端がミッドソールの上面に開口し、他端がミッドソールの側部に開口する複数の通気孔を当該ミッドソールに設けたことを特徴とする靴底が提供される。
【０００６】
　かかる通気孔は、一端がミッドソール上面の開口から靴内部に通じ、他端がミッドソール側部の開口から外部に通じるため、靴内外間に通気性を与え、靴内部の喚気を促すことができ、外部に対する開口が、地表面に接しないミッドソール側部に設けられているため、水、砂等が通気孔から侵入するようなこともない。
【０００７】
　本考案において、前記ミッドソールが、左右方向に沿う横溝が底に形成された凹部を有するミッドソール本体と、該凹部にはめ込む、垂直孔を有するはめ込み部材とから成り、これらミッドソール本体の横溝とはめ込み部材の垂直孔が前記通気孔を成すように設計することができる。これは、ミッドソール内にそのまま通気孔を設けることが非常に面倒であるため、該通気孔を、凹部の底面に設けた横溝と、この凹部にはめ込む別部材の縦孔とによって形成するようにして、通気孔の形成を容易にするものである。なお、凹部の範囲は、その少なくとも一部がミッドソール側部にかかるように設定される。更に、一の前記横溝に対し複数の垂直孔が対応するように設定することが望ましい。
【０００８】
　本考案では、前記凹部とはめ込み部材の組を複数組有することができる。また、前記ミッドソール本体が前方の凹部と後方の凹部を有し、前方の凹部の横溝と後方の凹部の横溝とを連通する前後方向に沿う縦溝をミッドソール本体に設けることができる。これにより、前方凹部の横溝と後方凹部の横溝とを縦溝で連通させ、通気孔の一端部のみならず該縦溝をも靴内部に開放させて、喚気性能を高めることができる。なお、前記前方の凹部は足前部に対応する位置に、後方の凹部は踵に対応する位置に設けることができる。
【考案を実施するための最良の形態】
【０００９】
　以下、本考案の好適な実施形態を添付図面に基づいて説明する。
【００１０】
　図１は、本考案に係る靴底１０を使用する運動靴１の分解斜視説明図であり、この靴１は、靴底１０と甲被２とから基本的に構成される。図２は靴底１０の側面説明図である。靴底１０は、下方のアウトソール１１と上方のミッドソール２０とを積層して成る。ミッドソール２０には、足前部に対応する領域に、一端がミッドソール２０の上面に開口し、他端がミッドソール２０の側部に開口する複数の通気孔３０（図２参照）が設けられている。かかる通気孔３０は以下のように形成される。
【００１１】
　ミッドソール２０の足前部に対応する領域には、ミッドソール上面から陥没するように厚さが薄くされた左右両側間にわたる矩形状の凹部２１が形成される。この凹部２１の底面には、左右方向に沿ってミッドソール両側に至る横溝２２が一例として二本設けられる。また、凹部２１に合致する矩形状のはめ込み部材２３が別に形成され、このはめ込み部材２３には、上記各横溝２２に連通する垂直孔２４が一の横溝２２に対し一例として八つずつ所定ピッチで設けられる。従って、ミッドソール本体（はめ込み部材２３をはめ込む前のミッドソール２０）にはめ込み部材２３を接着剤等により接合すると、前者の横溝２２と後者の垂直孔２４とが連通して上述した通気孔３０が形成される。
【００１２】
　かかる通気孔３０は、ミッドソール２０上面から靴内部に開放すると共に、ミッドソール側部から外部に開放するため、靴内外間に通気性を与え、靴内の換気喚気を促すことができ、また、外部に対する開口が靴底側部の上方部分にあるため、地表上の水、砂等の異物が通気孔３０内へと侵入するようなこともない。
【００１３】
　図３は、本考案に係る靴底の別の実施形態を示す斜視説明図である。この靴底１０’は、上述した靴底１０の凹部２１と同様の凹部を、ミッドソール２０’における足前部に対応する領域の他に踵に対応する領域にも設けたものである。足前部に対応する前方の凹部２１Ａ、横溝２２Ａ、はめ込み部材２３Ａ及び垂直孔２４Ａは、後述する縦溝４０を除き、既述したものと同様である。踵に対応する後方の凹部２１Ｂ、横溝２２Ｂ、はめ込み部材２３Ｂ及び垂直孔２４Ｂも、後述する縦溝４０を除き、単に位置が後方にずれるだけで、基本構成は靴底１０の凹部２１等と同様である。このように、通気孔内在部（凹部＋はめ込み部材）をミッドソール２０’の前後に設けることで、通気性、換気機能が一層向上するが、これが次の縦溝４０によって更に高められる。
【００１４】
　すなわち、ミッドソール２０’には、前方の凹部２１Ａの各横溝２２Ａと、後方の凹部２１Ｂの各横溝２２Ｂとを連通する前後方向に沿う縦溝４０が一例として二本設けられる。縦溝４０の凹部２１Ａ、２１Ｂから外れたこれら凹部間部分は、深さが横溝２２Ａ、２２Ｂの深さよりも深くなっており、該部分において、縦溝４０は上方の靴内部に開放する。従って、縦溝４０は、通気孔の靴内部に通じる一端部分を、はめ込み部材２３Ａ、２３Ｂの垂直孔２４Ａ、２４Ｂ以外に、凹部２１Ａ、２１Ｂ間へと拡大する役割を果たす。これにより、靴内のほぼ全域で効果的な換気が可能となる。
【００１５】
　なお、以上に述べた縦横の溝の数、通気孔の径等は換気機能が有効に働くように所望に設定することができる。
【図面の簡単な説明】
【００１６】
【図１】本考案に係る靴底を使用する靴の分解斜視説明図である。
【図２】靴底の側面説明図である。
【図３】本考案に係る靴底の別の実施形態を示す分解斜視説明図である。
【符号の説明】
【００１７】
　１０、１０’　靴底
　２０、２０’　ミッドソール
　２１、２１Ａ、２１Ｂ　凹部
　２２、２２Ａ、２２Ｂ　横溝
　２３、２３Ａ、２３Ｂ　はめ込み部材
　２４、２４Ａ、２４Ｂ　垂直孔
　３０　通気孔
　４０　縦溝
【図１】
0003100359.tif 000003
【図２】
0003100359.tif 000004
【図３】
0003100359.tif 000005